(57)【要約】【課題】装飾可動部材の大型化を可能にしつつ、装飾可動ユニットの奥行き寸法が過度に大きくなることを防止する。【解決手段】遊技機の前面に対してほぼ平行に配置されるベース部材２１と、ベース部材２１の前面側に取り付けられる装飾可動ユニット２０と、を備え、装飾可動ユニット２０は、駆動源であるモータ２２と、駆動源の駆動力で動作される複数の装飾可動部材２３と、装飾可動部材２３を取り付けるための取付部２４ａが前面側に複数設けられた取付部材２４と、を備え、複数の取付部２４ａは、隣接する取付部２４ａに取り付けられた装飾可動部材２３同士が部分的に前後方向に重合可能となるように階段状に構成され、複数の取付部２４ａ及び装飾可動部材２３は、ベース部材２１とほぼ平行な仮想面Ｍに沿って並ぶようにベース部材２１に対して傾斜している。【選択図】図２
2013106740.tif 000002
【特許請求の範囲】
【請求項１】
複数の装飾可動部材を備える遊技機であって、
当該遊技機の前面に対してほぼ平行に配置されるベース部材と、
前記ベース部材の前面側に取り付けられる装飾可動ユニットと、を備え、
前記装飾可動ユニットは、
駆動源と、
前記駆動源の駆動力で動作される複数の装飾可動部材と、
前記装飾可動部材を取り付けるための取付部が前面側に複数設けられた取付部材と、を備え、
複数の前記取付部は、
隣接する前記取付部に取り付けられた前記装飾可動部材同士が部分的に前後方向に重合可能となるように階段状に構成され、
複数の前記取付部及び前記装飾可動部材は、
前記ベース部材とほぼ平行な仮想面に沿って並ぶように前記ベース部材に対して傾斜していることを特徴とする遊技機。
【発明の詳細な説明】
【技術分野】
【０００１】
本発明は、パチンコ機などの遊技機に関し、特に、複数の装飾可動部材を備える遊技機に関する。
【背景技術】
【０００２】
遊技の興趣を高めるために、複数の装飾可動部材を用いて演出を行う遊技機が知られている。例えば、特許文献１においては、左右方向に並ぶ複数の装飾可動部材を備えたパチンコ機が開示されている。特許文献１に示される複数の装飾可動部材は、それぞれ正座をした人の形状を有しており、スライド移動可能な可動片に連結されている。可動片は、駆動源であるモータに連結されており、モータからの駆動力を受けてスライド移動することにより、複数の装飾可動部材にお辞儀のような動作を行わせるようになっている。
【先行技術文献】
【特許文献】
【０００３】
【特許文献１】特開２０１０−５７８２９号公報
【発明の概要】
【発明が解決しようとする課題】
【０００４】
近年、装飾可動部材による演出効果を高めるために、装飾可動部材を大型化したり、装飾可動部材の個数を増やすことが試みられている。しかしながら、パチンコ機などの遊技機においては、装飾可動部材を配置するスペースに限りがあるので、装飾可動部材の大型化や個数の増加には限界があった。
【０００５】
なお、図５に示す装飾可動ユニット１００のように、装飾可動部材１０１が取り付けられる複数の取付部１０２を階段状に構成し、複数の装飾可動部材１０１を部分的に順次重ねて配置することが考えられる。このようにすると、限られたスペースであっても、装飾可動部材１０１を大型化したり、装飾可動部材１０１の個数を増やすことが可能となるが、装飾可動ユニット１００の奥行き寸法Ｄ２が過度に大きくなってしまうという新たな問題が生じる。
【０００６】
本発明は、このような事情に鑑みてなされたものであり、その目的は、複数の装飾可動部材を備えるものでありながら、限られたスペースであっても、装飾可動部材を大型化したり、装飾可動部材の個数を増やすことが可能になるだけでなく、装飾可動ユニットの奥行き寸法が過度に大きくなることも防止できる遊技機を提供することにある。
【課題を解決するための手段】
【０００７】
本発明は、以下の構成によって把握することができる。
すなわち、本発明の遊技機は、複数の装飾可動部材を備える遊技機であって、当該遊技機の前面に対してほぼ平行に配置されるベース部材と、前記ベース部材の前面側に取り付けられる装飾可動ユニットと、を備え、前記装飾可動ユニットは、駆動源と、前記駆動源の駆動力で動作される複数の装飾可動部材と、前記装飾可動部材を取り付けるための取付部が前面側に複数設けられた取付部材と、を備え、複数の前記取付部は、隣接する前記取付部に取り付けられた前記装飾可動部材同士が部分的に前後方向に重合可能となるように階段状に構成され、複数の前記取付部及び前記装飾可動部材は、前記ベース部材とほぼ平行な仮想面に沿って並ぶように前記ベース部材に対して傾斜していることを特徴とする。
このようにすると、装飾可動部材の取付部を階段状に構成し、装飾可動部材同士を部分的に重ねて配置できるようにしたので、限られたスペースであっても、装飾可動部材を大型化したり、装飾可動部材の個数を増やすことが可能になる。しかも、複数の取付部及び装飾可動部材は、ベース部材とほぼ平行な仮想面に沿って並ぶようにベース部材に対して傾斜しているので、装飾可動ユニットの奥行き寸法が過度に大きくなることも防止できる。
【発明の効果】
【０００８】
本発明の遊技機によれば、複数の装飾可動部材を備えるものでありながら、限られたスペースであっても、装飾可動部材を大型化したり、装飾可動部材の個数を増やすことが可能になるだけでなく、装飾可動ユニットの奥行き寸法が過度に大きくなることも防止できる。
【図面の簡単な説明】
【０００９】
【図１】本発明の実施形態に係る遊技機が備える遊技盤の概略正面図である。
【図２】本発明の実施形態に係る遊技機が備える装飾可動ユニットの概略を示す図であり、（Ａ）は装飾可動ユニットの概略正面図、（Ｂ）は装飾可動ユニットの概略側面図である。
【図３】本発明の実施形態に係る装飾可動装置を装飾可動ユニットの通常時を示す図であり、（Ａ）は装飾可動ユニットの要部背面図、（Ｂ）は装飾可動ユニットの要部斜視図である。
【図４】本発明の実施形態に係る装飾可動装置を装飾可動ユニットの可動時を示す図であり、（Ａ）は装飾可動ユニットの要部背面図、（Ｂ）は装飾可動ユニットの要部斜視図である。
【図５】参考例に係る装飾可動ユニットの概略側面図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
〈遊技盤〉
図１は、本発明の実施形態に係る遊技機が備える遊技盤の概略正面図である。
この図に示すように、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００１２】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえばパチンコ遊技の最中においてインフォメーションを表示し、あるいは入賞の際にその興奮を盛り上げさせるような工夫がされた画像を表示するようになっている。
【００１３】
遊技領域１１の画像表示装置１５の下部には、たとえば表示面１５Ａ（開口１４）の下辺に沿い遊技者側に若干突出するステージ１６が設けられている。このステージ１６の上面はたとえば波状の湾曲面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至った場合、パチンコ球はステージ１６の円弧面上を揺動しながら排出口１７に落下できるようになっている。
【００１４】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００１５】
遊技領域１１の表示面１５Ａの周辺には、遊技者から目視可能な状態で装飾可動ユニット２０が配置されている（図２参照）。この装飾可動ユニット２０が配置される領域およびその近傍は、遊技領域１１を落下転動するパチンコ球が導かれることが無いようになっており、パチンコ球が装飾可動ユニット２０に衝突してしまうのを回避できるようになっている。たとえば本実施形態においては、遊技盤１０の盤面を透明（半透明を含む）な樹脂板で構成し、その裏側に装飾可動ユニット２０を配置することにより、装飾可動ユニット２０にパチンコ球が衝突することを防止している。
【００１６】
装飾可動ユニット２０の構成は後に詳述するが、たとえば画像表示装置１５の演出表示内容に合わせて動作させることによって、遊技の興趣を高める手段として用いることができるようになる。また、装飾可動ユニット２０は、たとえば入賞によって遊技者に有利となる特別遊技状態（大当たり遊技状態）等が付与された場合に、後述のような動作態様によって、遊技者にその旨を告知し、遊技者の期待を高めることができるようになる。
【００１７】
〈装飾可動ユニット〉
図２は、本発明の実施形態に係る遊技機が備える装飾可動ユニットの概略を示す図であり、（Ａ）は装飾可動ユニットの概略正面図、（Ｂ）は装飾可動ユニットの概略側面図である。
これらの図に示すように、装飾可動ユニット２０は、ベース部材２１の前面側に設けられ、該ベース部材２１を介して遊技機内の所定箇所に取り付けられるようになっている。ベース部材２１は、遊技機の前面に対してほぼ平行に配置されるようになっており、たとえば本実施形態のベース部材２１は、遊技盤１０の裏側に設けられる裏ユニット（図示せず）に対し、遊技盤１０とほぼ平行な状態で取り付けられるようになっている。これにより、ベース部材２１の前面側に設けられる本実施形態の装飾可動ユニット２０は、上述のように透明な遊技盤１０の裏側に沿って配置され、遊技盤１０を介して遊技者に目視されるようになっている。
【００１８】
本実施形態の装飾可動ユニット２０は、駆動源であるモータ２２と、モータ２２の駆動力で動作される複数の装飾可動部材２３と、複数の装飾可動部材２３が取り付けられる取付部材２４と、を備えて構成されている。
【００１９】
モータ２２は、取付部材２４の下端部に設けられており、後述する駆動力伝達機構２５（図３及び図４参照）を介して複数の装飾可動部材２３に駆動力を伝達し、複数の装飾可動部材２３に所定の動作を行わせるようになっている。なお、本実施形態では、駆動源を一つのモータ２２で構成しているが、駆動源としては、モータ２２以外のアクチュエータ（たとえばソレノイド）を用いてもよいし、複数のアクチュエータを用いて構成してもよい。
【００２０】
本実施形態の装飾可動部材２３は、手指の形をした部材であって、背面には後方に突出する支軸２３ａを一体的に備えており、該支軸２３ａを支点とする回動により手指を上下に振るような演出的な動作を行うようになっている。なお、本実施形態の装飾可動ユニット２０は、上下方向に並ぶ４つの装飾可動部材２３を備えるが、装飾可動部材２３の個数は２以上であればよく、また、装飾可動部材２３が並ぶ方向は、上下方向の他に、左右方向や斜め方向であってもよい。
【００２１】
取付部材２４には、装飾可動部材２３を取り付けるための取付部２４ａが複数形成されている。取付部２４ａは、取付部材２４の前面側に上下方向に並ぶように形成されており、装飾可動部材２３は取付部２４ａに対してほぼ平行に取り付けられるようになっている。
【００２２】
図２の（Ｂ）に示すように、複数の取付部２４ａは、同一平面上に位置することなく、互に所定の段差をもってほぼ平行となるように階段状に構成されている。これにより、隣接する取付部２４ａに取り付けられた装飾可動部材２３同士は、部分的に前後方向に重合することが可能になる。たとえば本実施形態では、下側に隣接する取付部２４ａに取り付けられた装飾可動部材２３の一部が、上側に隣接する取付部２４ａに取り付けられた装飾可動部材２３の手前側に重合するようになっている。
【００２３】
上記のように、装飾可動部材２３の取付部２４ａを階段状に構成し、装飾可動部材２３同士を部分的に重ねて配置した場合、図５に示す参考例のように、装飾可動ユニット１００の奥行き寸法Ｄ２が過度に大きくなるおそれがある。そこで、本発明の実施形態に係る装飾可動ユニット２０では、図２の（Ｂ）に示すように、複数の取付部２４ａ及び装飾可動部材２３を、ベース部材２１とほぼ平行な仮想面Ｍに沿って並ぶようにベース部材２１に対して傾斜させている。これにより、装飾可動ユニット２０の奥行き寸法Ｄ１を、図５に示す装飾可動ユニット１００の奥行き寸法Ｄ２に比べて大幅に小さくすることが可能になる。
【００２４】
〈駆動力伝達機構〉
図３は、本発明の実施形態に係る装飾可動装置を装飾可動ユニットの通常時を示す図であり、（Ａ）は装飾可動ユニットの要部背面図、（Ｂ）は装飾可動ユニットの要部斜視図、図４は、本発明の実施形態に係る装飾可動装置を装飾可動ユニットの可動時を示す図であり、（Ａ）は装飾可動ユニットの要部背面図、（Ｂ）は装飾可動ユニットの要部斜視図である。
これらの図に示すように、駆動力伝達機構２５は、セクタギヤ２６、ピニオンギヤ２７、ラック２８、駆動ギヤ２９、中継ギヤ３０などを備えて構成されている。
【００２５】
セクタギヤ２６は、各装飾可動部材２３の支軸２３ａに一体的に取り付けられている。
ピニオンギヤ２７は、各取付部２４ａの裏側空間に回転可能に設けら、セクタギヤ２６に噛合している。
【００２６】
ラック２８は、各取付部２４ａの裏側空間に直進往復移動可能に設けら、ピニオンギヤ２７に噛合している。各取付部２４ａに設けられたラック２８は、図２の（Ｂ）に示すように階段状に配置されるとともに、互に連結されて一体的に直進往復移動するようになっている。たとえば本実施形態では、ラック２８の上端部に後方に突出する連結突起２８ａを形成するとともに、ラック２８の下端部に少なくとも前方に開口する連結穴２８ｂを形成し、上側に隣接するラック２８の連結穴２８ｂに、下側に隣接するラック２８の連結突起２８ａを係合させることにより、隣接するラック２８同士を連結させている。
【００２７】
なお、本実施形態では、上下に並ぶ４つの取付部２４ａのうち、最上位置の取付部２４ａに設けられるラック２８と、上から二番目の取付部２４ａに設けられるラック２８は、それぞれ別体として構成し、最下位置の取付部２４ａに設けられるラック２８と、下から二番目の取付部２４ａに設けられるラック２８は、一体に構成しているが、各取付部２４ａに設けられるラック２８の別体／一体は任意に選択することができる。たとえばすべてのラック２８を別体に構成してもよいし、すべてのラック２８を一体に構成してもよい。
【００２８】
駆動ギヤ２９は、モータ２２のモータ軸に一体的に設けられ、最下位置の取付部２４ａに設けられたピニオンギヤ２７に対し、中継ギヤ３０を介してモータ２２の駆動力を伝達するようになっている。すなわち最下位置の装飾可動部材２３は、ラック２８を介さずにピニオンギヤ２７に伝達された駆動力で動作し、その他の装飾可動部材２３は、最下位置のピニオンギヤ２７及びラック２８を介してピニオンギヤ２７に伝達された駆動力で動作するようになっている。
【００２９】
以上のように構成された本実施形態によれば、複数の装飾可動部材２３を備える遊技機であって、当該遊技機の前面に対してほぼ平行に配置されるベース部材２１と、ベース部材２１の前面側に取り付けられる装飾可動ユニット２０と、を備え、装飾可動ユニット２０は、駆動源であるモータ２２と、駆動源の駆動力で動作される複数の装飾可動部材２３と、装飾可動部材２３を取り付けるための取付部２４ａが前面側に複数設けられた取付部材２４と、を備え、複数の取付部２４ａは、隣接する取付部２４ａに取り付けられた装飾可動部材２３同士が部分的に前後方向に重合可能となるように階段状に構成され、複数の取付部２４ａ及び装飾可動部材２３は、ベース部材２１とほぼ平行な仮想面Ｍに沿って並ぶようにベース部材２１に対して傾斜しているので、複数の装飾可動部材２３を備えるものでありながら、限られたスペースであっても、装飾可動部材２３を大型化したり、装飾可動部材２３の個数を増やすことが可能になるだけでなく、装飾可動ユニット２０の奥行き寸法Ｄ１が過度に大きくなることも防止できる。
【００３０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００３１】
たとえば、上述した実施形態では、本発明が適用された遊技機の一例としてパチンコ機を挙げて説明したものである。しかし、本発明は、パチンコ機に限定されることはなく、パチスロ機（スロットマシン）のような他の遊技機にも適用することができる。
【符号の説明】
【００３２】
１０……遊技盤、１１……遊技領域、１２……ガイドレール、１２Ａ……外側レール、１２Ｂ……内側レール、１３……アウト口、１４……開口、１５……画像表示装置、１５Ａ……表示面、１６……ステージ、１７……排出口、１８……始動口、１９……大入賞口、１９Ａ……大入賞口扉、２０……装飾可動ユニット、２１……ベース部材、２２……モータ、２３……装飾可動部材、２３ａ……支軸、２４……取付部材、２４ａ……取付部、２５……駆動力伝達機構、２６……セクタギヤ、２７……ピニオンギヤ、２８……ラック、２８ａ……連結突起、２８ｂ……連結穴、２９……駆動ギヤ、３０……中継ギヤ、１００……装飾可動ユニット、１０１……装飾可動部材、１０２……取付部、Ｄ１、Ｄ２……奥行き寸法、Ｍ……仮想面
【図１】
2013106740.tif 000003
【図２】
2013106740.tif 000004
【図３】
2013106740.tif 000005
【図４】
2013106740.tif 000006
【図５】
2013106740.tif 000007